(57)【要約】【目的】省電力という目的を達成する、ネットワーク伝送装置およびその節電方法を提供する。【解決手段】ネットワーク伝送装置およびその節電方法が提供される。ネットワーク伝送装置がチップと変圧器と電力調整ユニットを含む。チップが検知及び制御ユニットとアナログ回路とデジタル回路とを含む。検知及び制御ユニットが受信信号を受信するとともに、受信信号およびチップの状態を検知して、第１制御信号を発生させる。変圧器が一次側および二次側を有し、一次側がチップに連結される。検知および制御ユニット、ならびに変圧器の一次側のセンタータップに連結された電力調整ユニットが、電圧を受信すること、第１制御信号に従って第１調整電圧を発生させること及び第１調整電圧を変圧器の一次側のセンタータップ、アナログ回路ならびにデジタル回路へ伝送するために用いられる。【選択図】図１
2010119082.tif 000002
【特許請求の範囲】
【請求項１】
受信信号を受信するとともに前記受信信号またはチップの状態を検知して第１制御信号を発生させる検知及び制御ユニット、アナログ回路、ならびにデジタル回路を備えるチップと；
一次側および二次側を備え、その前記一次側が前記チップに連結されている変圧器と；
前記検知及び制御ユニットならびに前記変圧器の前記一次側のセンタータップに連結されて、電圧を受信するとともに、前記第１制御信号に従って第１調整電圧を発生させ、かつ前記第１調整電圧を前記変圧器の前記一次側の前記センタータップ、前記アナログ回路ならびに前記デジタル回路へ伝送する電力調整ユニットと
を含むネットワーク伝送装置。
【請求項２】
前記検知及び制御ユニットは、前記受信信号がネットワーク伝送速度、DC-ワォンダ（direct current - wander）、伝送振幅およびケーブル長さの情報を搬送していることを検知して前記第１制御信号を発生させる時、前記電力調整ユニットにより発生される前記第１調整電圧が前記変圧器の前記一次側の前記センタータップへ伝送される請求項１記載のネットワーク伝送装置。
【請求項３】
前記検知及び制御ユニットは、信号ノイズ比（signal-to-noise rate = SNR）により処理された前記受信信号を検知して前記第１制御信号を発生させる時、前記電力調整ユニットにより発生される前記第１調整電圧が前記アナログ回路へ伝送される請求項１記載のネットワーク伝送装置。
【請求項４】
前記検知及び制御ユニットは、前記チップの内部遅延の大きさを検知して前記第１制御信号を発生させる時、前記電力調整ユニットにより発生される前記第１調整電圧が前記デジタル回路へ伝送される請求項１記載のネットワーク伝送装置。
【請求項５】
前記検知及び制御ユニットが更に前記受信信号を検知して第２制御信号を発生させ、かつ前記電力調整ユニットが更に前記第２制御信号に従って第２調整電圧を発生させるとともに、前記第１調整電圧および前記第２調整電圧をそれぞれ前記変圧器の前記一次側の前記センタータップ、前記アナログ回路および前記デジタル回路から選ばれた２つのユニットへ伝送する請求項１記載のネットワーク伝送装置。
【請求項６】
前記検知及び制御ユニットがネットワーク伝送速度、DC-ワォンダ、伝送振幅、ケーブル長さの情報を搬送する前記受信信号を検知して前記第１制御信号を発生させる時、前記電力調整ユニットにより発生される前記第１調整電圧が前記変圧器の前記一次側の前記センタータップへ伝送され、前記検知及び制御ユニットがＳＮＲにより処理された前記受信信号を検知して前記第２制御信号を発生させる時、前記電力調整ユニットにより発生される前記第２調整電圧が前記アナログ回路へ伝送される請求項５記載のネットワーク伝送装置。
【請求項７】
前記検知及び制御ユニットが前記チップの内部遅延の大きさを検知して前記第１制御信号を発生させる時、前記電力調整ユニットにより発生される前記第１調整電圧が前記デジタル回路へ伝送されるとともに、前記検知及び制御ユニットがネットワーク伝送速度、DC-ワォンダ、伝送振幅、ケーブル長さの情報を搬送する前記受信信号を検知して前記第２制御信号を発生させる時、前記電力調整ユニットにより発生される前記第２調整電圧が前記変圧器の前記一次側の前記センタータップへ伝送される請求項５記載のネットワーク伝送装置。
【請求項８】
前記検知及び制御ユニットが前記チップの内部遅延の大きさを検知して前記第１制御信号を発生させる時、前記電力調整ユニットにより発生される前記第１調整電圧が前記デジタル回路へ伝送されるとともに、前記検知及び制御ユニットがＳＮＲにより処理された前記受信信号を検知して前記第２制御信号を発生させる時、前記電力調整ユニットにより発生される前記第２調整電圧が前記アナログ回路へ伝送される請求項５記載のネットワーク伝送装置。
【請求項９】
前記検知及び制御ユニットが前記受信信号を検知して前記第１制御信号を発生させる時、前記検知及び制御ユニットが更に前記チップの状態を検知して第３制御信号を発生させるとともに、前記電力調整ユニットが更に前記第３制御信号に従って第３調整電圧を発生させ、かつ、それぞれ前記第１調整電圧、前記第２調整電圧、および前記第３調整電圧を前記変圧器の前記一次側の前記センタータップ、前記アナログ回路、ならびに前記デジタル回路へ伝送する請求項５記載のネットワーク伝送装置。
【請求項１０】
前記検知及び制御ユニットがネットワーク伝送速度、DC-ワォンダ、伝送振幅、ケーブル長さの情報を搬送する前記受信信号を検知して前記第１制御信号を発生させる時、前記電力調整ユニットにより発生される前記第１調整電圧が前記変圧器の前記一次側の前記センタータップへ伝送され、前記検知及び制御ユニットがＳＮＲにより処理された前記受信信号を検知して前記第２制御信号を発生させる時、前記電力調整ユニットにより発生される前記第２調整電圧が前記アナログ回路へ伝送されるとともに、前記検知及び制御ユニットが前記チップの内部遅延の大きさを検知して前記第３制御信号を発生させる時、前記電力調整ユニットにより発生される前記第３調整電圧が前記デジタル回路へ伝送される請求項９記載のネットワーク伝送装置。
【請求項１１】
前記変圧器の前記一次側の第１端に連結される第１端を有する第１抵抗器と；
前記第１抵抗器の第２端に連結される第１端、ならびに前記変圧器の前記一次側の第２端に連結される第２端を有する第２抵抗器と
を更に含む請求項１記載のネットワーク伝送装置。
【請求項１２】
前記電圧が、操作電圧である請求項１記載のネットワーク伝送装置。
【請求項１３】
ネットワーク伝送装置の節電方法であり、そのうち、前記ネットワーク伝送装置がチップおよび変圧器を含み、前記チップがアナログ回路ならびにデジタル回路を含み、前記節電方法が：
受信信号を受信することと；
前記受信信号または前記チップの状態を検知して第１制御信号を発生させることと；
前記第１制御信号に従って対応するように第１調整電圧を発生させることと；
前記第１調整電圧を前記変圧器の一次側のセンタータップ、前記アナログ回路ならびに前記デジタル回路へ伝送することと；
を含む、ネットワーク伝送装置の節電方法。
【請求項１４】
前記受信信号がネットワーク伝送速度、直流(DC)-ワォンダ（direct current wander）、伝送振幅、ケーブル長さの情報を搬送していることを検知した時、前記第１調整電圧が前記変圧器の前記一次側の前記センタータップへ伝送される請求項１３記載のネットワーク伝送装置の節電方法。
【請求項１５】
前記受信信号が信号ノイズ比（signal-noise rate = SNR）処理されていることを検知した時、前記第１調整電圧が前記アナログ回路へ伝送される請求項１３記載のネットワーク伝送装置の節電方法。
【請求項１６】
前記チップの内部遅延の大小を検知した時、前記第１調整電圧が前記デジタル回路へ伝送される請求項１３記載のネットワーク伝送装置の節電方法。
【請求項１７】
前記受信信号を検知して第２制御信号を発生させることと；
前記第２制御信号に従って対応するように第２調整電圧を発生させることと；
前記第１調整電圧および前記第２調整電圧を前記変圧器の前記一次側の前記センタータップ、前記アナログ回路および前記デジタル回路から選択した２つのユニットへそれぞれ伝送することと
を更に含む請求項１３記載のネットワーク伝送装置の節電方法。
【請求項１８】
前記受信信号がネットワーク伝送速度、DC-ワォンダ、伝送振幅、ケーブル長さの情報を搬送していることを検知した時、前記第１制御信号が発生されるとともに、前記第１調整電圧が前記変圧器の前記一次側の前記センタータップへ伝送され、前記受信信号がSNR処理されていることを検知した時、前記第２制御信号を発生させるとともに、前記第２調整電圧が前記アナログ回路へ伝送される請求項１７記載のネットワーク伝送装置の節電方法。
【請求項１９】
前記チップの内部遅延の大小を検知した時、前記第１制御信号が発生されるとともに、前記第１調整電圧が前記デジタル回路へ伝送され、前記受信信号がネットワーク伝送速度、DC-ワォンダ、伝送振幅、ケーブル長さの情報を搬送していることを検知した時、前記第２制御信号が発生されるとともに、前記第２調整電圧が前記変圧器の前記一次側の前記センタータップへ伝送される請求項１７記載のネットワーク伝送装置の節電方法。
【請求項２０】
前記チップの内部遅延の大小を検知した時、前記第１制御信号が発生されるとともに、前記第１調整電圧が前記デジタル回路へ伝送され、前記受信信号がSNR処理されていることを検知した時、前記第２制御信号を発生させるとともに、前記第２調整電圧が前記アナログ回路へ伝送される請求項１７記載のネットワーク伝送装置の節電方法。
【請求項２１】
前記受信信号が検知されて第１制御信号が発生された時、前記節電方法が更に：
前記チップの状態を検知して第３制御信号を発生させることと；
前記第３制御信号に従って対応するよう第３調整電圧を発生させることと；
前記第１調整電圧、前記第２調整電圧および前記第３調整電圧を前記変圧器の前記一次側の前記センタータップ、前記アナログ回路ならびに前記デジタル回路へそれぞれ伝送することと；
を含む請求項１７記載のネットワーク伝送装置の節電方法。
【請求項２２】
前記受信信号がネットワーク伝送速度、DC-ワォンダ、伝送振幅、ケーブル長さの情報を搬送していることを検知した時、前記第１制御信号が発生されるとともに、前記第１調整電圧が前記変圧器の前記一次側の前記センタータップへ伝送され、前記受信信号がSNR処理されていることを検知した時、前記第２制御信号を発生させるとともに、前記第２調整電圧が前記アナログ回路へ伝送され、前記チップの内部遅延の大小を検知した時、前記第３制御信号が発生されるとともに、前記第３調整電圧が前記デジタル回路へ伝送される請求項２１記載のネットワーク伝送装置の節電方法。
【発明の詳細な説明】
【技術分野】
【０００１】
この発明は、一般的にネットワーク伝送装置に関し、特に、ネットワーク伝送装置およびネットワーク伝送装置に適用される節電方法に関する。
【背景技術】
【０００２】
電子技術の急速な発展にともない、コンピューターおよび様々な情報デジタル化設備がますます優勢なものとなっている。資源を共有するため、ネットワークが情報交換のために本質的な役割を果たしている。色々なネットワーク配置のうち、イーサネット（Ethernet 登録商標）が容易なアクセス・立ち上げの便利さ・高い伝送速度のような利点を有するとともに、イーサネット関連設備が勢いよく発展し、かつ、その伝送速度が１０Ｍｂｐｓから１００Ｍｂｐｓまたは１０００Ｍｂｐｓまでにもなってきている。
【０００３】
イーサネットのネットワーク伝送設備中、現行のネットワーク伝送速度は、１０Ｍ、１００Ｍおよび１０００Ｍに分けることができる。ネットワーク信号の伝送中、ネットワーク伝送装置の伝送電圧は、ネットワーク伝送によって異なる。例えば、ネットワーク伝送速度が１０Ｍｂｐｓの時、ネットワーク伝送装置の伝送電圧は、例えば、約±２．５ボルト（Ｖ）である。ネットワーク伝送速度が１００Ｍｂｐｓの時、ネットワーク伝送装置の伝送電圧は、例えば、約±１Ｖである。ネットワーク伝送速度が１０００Ｍｂｐｓの時、ネットワーク伝送装置の伝送電圧は、例えば、約±１Ｖであるとともに、その受信電圧がより短いケーブル長さ（shorter cable length）で約±１Ｖであり、かつ、その最大電圧が約±２Ｖに達することがある。
【発明の概要】
【発明が解決しようとする課題】
【０００４】
しかしながら、ネットワーク伝送装置は、データ伝送中、常に同一なネットワーク伝送速度を維持しない。ネットワーク伝送装置の正常な操作を維持するために、即ち、ネットワーク伝送装置が異なるネットワーク伝送速度でデータ伝送をできるようにするために、３つのレベル（１０Ｍｂｐｓ、１００Ｍｂｐｓおよび１０００Ｍｂｐｓというネットワーク伝送速度）の最大電圧値、即ち、±２．５Ｖが提供されなければならず、そのために、ネットワーク伝送装置の過大な電力消費（excessive power consumption）という結果となっている。
【０００５】
そこで、この発明の目的は、省電力という目的を達成する、ネットワーク伝送装置およびその節電方法を提供することにある。
【課題を解決するための手段】
【０００６】
ここに、具体的かつ広範に記述されるように、この発明は、ネットワーク伝送装置を提供するものであり、チップと変圧器と電力調整ユニットとを含む。チップが検知および制御ユニットとアナログ回路とデジタル回路とを含む。検知および制御ユニットが受信信号を受信するとともに、受信信号およびチップの状態を検知して、第１制御信号を発生させる。変圧器が一次側および二次側を有し、一次側がチップに連結される。電力調整ユニットが検知および制御ユニット、ならびに変圧器の一次側のセンタータップに連結され、電圧を受信すること、第１制御信号に従って第１調整電圧を発生させること及び第１調整電圧を変圧器の一次側のセンタータップ、アナログ回路ならびにデジタル回路へ伝送するために用いられる。
【０００７】
この発明の一実施形態では、検知及び制御ユニットは、受信信号がネットワーク伝送速度、DC-ワォンダ（direct current - wander）、伝送振幅およびケーブル長さの情報を搬送していることを検知して第１制御信号を発生させる時、電力調整ユニットにより発生される第１調整電圧が変圧器の一次側のセンタータップへ伝送される。
【０００８】
この発明の一実施形態では、検知及び制御ユニットは、信号ノイズ比（signal-to-noise rate = SNR）により処理された受信信号を検知して第１制御信号を発生させる時、電力調整ユニットにより発生される第１調整電圧が前記アナログ回路へ伝送される。
【０００９】
この発明の一実施形態では、検知及び制御ユニットは、チップの内部遅延の大きさを検知して第１制御信号を発生させる時、電力調整ユニットにより発生される第１調整電圧が前記デジタル回路へ伝送される。
【００１０】
この発明の一実施形態では、検知及び制御ユニットが更に受信信号を検知して第２制御信号を発生させ、かつ電力調整ユニットが更に第２制御信号に従って第２調整電圧を発生させるとともに、第１調整電圧および第２調整電圧をそれぞれ変圧器の一次側のセンタータップ、アナログ回路およびデジタル回路から選ばれた２つのユニットへ伝送する。
【００１１】
この発明の一実施形態では、検知及び制御ユニットがネットワーク伝送速度、DC-ワォンダ、伝送振幅、ケーブル長さの情報を搬送する受信信号を検知して第１制御信号を発生させる時、電力調整ユニットにより発生される第１調整電圧が変圧器の一次側の前記センタータップへ伝送され、検知及び制御ユニットがＳＮＲにより処理された受信信号を検知して第２制御信号を発生させる時、電力調整ユニットにより発生される第２調整電圧がアナログ回路へ伝送される。
【００１２】
この発明の一実施形態では、検知及び制御ユニットがチップの内部遅延の大きさを検知して第１制御信号を発生させる時、電力調整ユニットにより発生される第１調整電圧がデジタル回路へ伝送されるとともに、検知及び制御ユニットがネットワーク伝送速度、DC-ワォンダ、伝送振幅、ケーブル長さの情報を搬送する受信信号を検知して第２制御信号を発生させる時、電力調整ユニットにより発生される第２調整電圧が変圧器の一次側のセンタータップへ伝送される。
【００１３】
この発明の一実施形態では、検知及び制御ユニットがチップの内部遅延の大きさを検知して第１制御信号を発生させる時、電力調整ユニットにより発生される第１調整電圧がデジタル回路へ伝送されるとともに、検知及び制御ユニットがＳＮＲにより処理された受信信号を検知して第２制御信号を発生させる時、電力調整ユニットにより発生される第２調整電圧がアナログ回路へ伝送される。
【００１４】
この発明の一実施形態では、検知及び制御ユニットが受信信号を検知して第１制御信号を発生させる時、検知及び制御ユニットが更にチップの状態を検知して第３制御信号を発生させるとともに、電力調整ユニットが更に第３制御信号に従って第３調整電圧を発生させ、かつ、それぞれ第１調整電圧、第２調整電圧、および第３調整電圧を変圧器の一次側のセンタータップ、アナログ回路、ならびにデジタル回路へ伝送する。
【００１５】
この発明の一実施形態では、検知及び制御ユニットがネットワーク伝送速度、DC-ワォンダ、伝送振幅、ケーブル長さの情報を搬送する受信信号を検知して第１制御信号を発生させる時、電力調整ユニットにより発生される第１調整電圧が変圧器の一次側のセンタータップへ伝送され、検知及び制御ユニットがＳＮＲにより処理された受信信号を検知して第２制御信号を発生させる時、電力調整ユニットにより発生される第２調整電圧がアナログ回路へ伝送されるとともに、検知及び制御ユニットがチップの内部遅延の大きさを検知して第３制御信号を発生させる時、電力調整ユニットにより発生される第３調整電圧がデジタル回路へ伝送される。
【００１６】
この発明の一実施形態では、ネットワーク伝送装置が更に第１抵抗器と第２抵抗器とを含む。第１抵抗器の第１端が変圧器の一次側の第１端に連結される。第２抵抗器の第１端が第１抵抗器の第２端に連結されるとともに、第２抵抗器の第２端が変圧器の一次側の第２端に連結される。
【００１７】
この発明の一実施形態では、電圧が操作電圧である。
【００１８】
この発明は、更に、ネットワーク伝送装置の節電方法を提供する。ネットワーク伝送装置がチップおよび変圧器を含み、チップがアナログ回路ならびにデジタル回路を含む。その節電方法が以下のステップを含む。先ず、受信信号が受信される。次に、受信信号またはチップの状態を検知して第１制御信号を発生させる。そして、第１制御信号に従って対応するように第１調整電圧を発生させる。次に、第１調整電圧が変圧器の一次側のセンタータップ、アナログ回路ならびにデジタル回路へ伝送される。
【００１９】
この発明の一実施形態では、受信信号がネットワーク伝送速度、DC-ワォンダ（direct current wander）、伝送振幅、ケーブル長さの情報を搬送していることを検知した時、第１調整電圧が変圧器の一次側のセンタータップへ伝送される。
【００２０】
この発明の一実施形態では、受信信号が信号ノイズ比（signal-noise rate = SNR）処理されていることを検知した時、第１調整電圧がアナログ回路へ伝送される。
【００２１】
この発明の一実施形態では、チップの内部遅延の大小を検知した時、第１調整電圧がデジタル回路へ伝送される。
【００２２】
この発明の一実施形態では、ネットワーク伝送装置の節電方法が更に以下のステップを含む。先ず、受信信号を検知して第２制御信号を発生させる。そして、第２制御信号に従って対応するように第２調整電圧を発生させる。次に、第１調整電圧および第２調整電圧を変圧器の一次側のセンタータップ、アナログ回路およびデジタル回路から選択した２つのユニットへそれぞれ伝送する。
【００２３】
この発明の一実施形態では、受信信号がネットワーク伝送速度、DC-ワォンダ、伝送振幅、ケーブル長さの情報を搬送していることを検知した時、第１制御信号が発生されるとともに、第１調整電圧が変圧器の一次側のセンタータップへ伝送され、受信信号がSNR処理されていることを検知した時、第２制御信号を発生させるとともに、第２調整電圧が前記アナログ回路へ伝送される。
【００２４】
この発明の一実施形態では、チップの内部遅延の大小を検知した時、第１制御信号が発生されるとともに、第１調整電圧がデジタル回路へ伝送され、受信信号がネットワーク伝送速度、DC-ワォンダ、伝送振幅、ケーブル長さの情報を搬送していることを検知した時、第２制御信号が発生されるとともに、第２調整電圧が変圧器の一次側のセンタータップへ伝送される。
【００２５】
この発明の一実施形態では、チップの内部遅延の大小を検知した時、第１制御信号が発生されるとともに、第１調整電圧が前記デジタル回路へ伝送され、受信信号がSNR処理されていることを検知した時、第２制御信号を発生させるとともに、第２調整電圧がアナログ回路へ伝送される。
【００２６】
この発明の一実施形態では、受信信号が検知されて第１制御信号が発生された時、節電方法が更に以下のステップを含む。先ず、チップの状態を検知して第３制御信号を発生させる。そして、第３制御信号に従って対応するよう第３調整電圧を発生させる。次に、第１調整電圧、第２調整電圧および第３調整電圧を変圧器の一次側のセンタータップ、アナログ回路ならびにデジタル回路へそれぞれ伝送する。
【００２７】
この発明の一実施形態では、受信信号がネットワーク伝送速度、DC-ワォンダ、伝送振幅、ケーブル長さの情報を搬送していることを検知した時、第１制御信号が発生されるとともに、第１調整電圧が変圧器の一次側のセンタータップへ伝送され、受信信号がSNR処理されていることを検知した時、第２制御信号を発生させるとともに、第２調整電圧がアナログ回路へ伝送され、チップの内部遅延の大小を検知した時、第３制御信号が発生されるとともに、第３調整電圧がデジタル回路へ伝送される。
【００２８】
この発明では、検知及び制御ユニットが受信信号により搬送される情報（即ち、ネットワーク伝送速度、DC-ワォンダおよび受信信号のＳＮＲ）ならびにチップの状態（チップの内部遅延の大小）を検知して対応するように第１制御信号、第２制御信号および第３制御信号を発生させる。そして、電力調整ユニットが第１制御信号、第２制御信号および第３制御信号に従って第１調整電圧、第２調整電圧および第３調整電圧を発生させるとともに、第１調整電圧、第２調整電圧および第３調整電圧をそれぞれ変圧器の一次側のセンタータップ、アナログ回路ならびにデジタル回路へ伝送する。このように、この発明は、変圧器の一次側のセンタータップ、アナログ回路およびデジタル回路の電圧を動的に調整することを通じて、ネットワーク伝送装置の電力消費を節約することができる。この発明では、３つの調整電圧が記述されているけれども、それらは、互いに独立しており、それぞれ単独でも存在できる。
【発明の効果】
【００２９】
つまり、この発明は、検知及び制御ユニットが受信信号によって搬送される情報（つまり、ネットワーク伝送速度、DC-ワォンダおよび受信信号のＳＮＲ）ならびにチップの状態（チップの内部遅延の大きさ）を検知して対応するように第１制御信号、第２制御信号および第３制御信号を発生させる。そして、電力調整ユニットが第１制御信号、第２制御信号および第３制御信号に基づいて第１調整電圧、第２調整電圧ならびに第３調整電圧を発生させるとともに、第１調整電圧、第２調整電圧および第３調整電圧をそれぞれ変圧器の一次側のセンタータップ、アナログ回路ならびにデジタル回路へ伝送する。このようにして、この発明は、変圧器の一次側のセンタータップ、アナログ回路およびデジタル回路の電圧をダイナミックに調整することを通じて、ネットワーク伝送装置の電力消費を節約することができる。この発明では、３つの調整電圧が記述されているが、お互いに独立しており、それぞれ単独で存在できる。
【図面の簡単な説明】
【００３０】
【図１】この発明の実施形態にかかるネットワーク伝送装置を示す回路ブロック図である。
【図２】この発明の実施形態にかかるネットワーク伝送装置の節電方法を示す流れ図である。
【図３】この発明の別な実施形態に係るネットワーク伝送装置の節電方法を示す流れ図である。
【図４】この発明の更に別な実施形態に係るネットワーク伝送装置の節電方法を示す流れ図である。
【発明を実施するための形態】
【００３１】
以下、この発明を実施するための形態を図面に基づいて説明する。
【００３２】
図１は、この発明の実施形態にかかるネットワーク伝送装置を示す回路ブロック図である。この発明で提供されるネットワーク伝送装置１００は、ギガバイト・イーサーネット（Gigabit Ethernet）に適用できるが、それに限定するものではない。図１において、ネットワーク伝送装置１００は、チップ１１０と、変圧器１２０と、電力調整ユニット１３０とを含む。
【００３３】
チップ１１０は、検知及び制御ユニット１１１と、アナログ回路１１２と、デジタル回路１１３とを含む。検知及び制御ユニット１１１が受信信号ＲＳを受信するとともに、受信信号ＲＳおよびチップ１１０の状態を検知して、対応するように第１制御信号ＣＳ１、第２制御信号ＣＳ２ならびに第３制御信号ＣＳ３を発生させる。この実施形態では、検知及び制御ユニット１１１は、受信信号ＲＳがネットワーク伝送速度、DC-ワォンダ（direct current wander）、伝送振幅（Transmit Amplitude）およびケーブル長さ（Cable Length）を搬送していることを検知する時、第１制御信号ＣＳ１を発生させる。
【００３４】
一般的に言って、ネットワーク伝送装置１００のネットワーク伝送速度は、１０Ｍｂｐｓ、１００Ｍｂｐｓおよび１０００Ｍｂｐｓに分類される。ネットワーク伝送装置１００の操作電圧は、ネットワーク伝送速度により変化する。例えば、ネットワーク伝送速度が１０Ｍｂｐｓである時、ネットワーク伝送装置１００の伝送電圧は、例えば、約±２．５Ｖである。ネットワーク伝送速度が１００Ｍｂｐｓである時、ネットワーク伝送装置１００の伝送電圧は、例えば、約±１Ｖである。ネットワーク伝送速度が１０００Ｍｂｐｓである時、ネットワーク伝送装置１００の伝送電圧は、例えば、約±１Ｖであり、その受信電圧は、例えば、約±１Ｖであるとともに、その最大電圧は、約±２Ｖに到達する。
【００３５】
また、ネットワーク伝送装置が受信信号ＲＳを受信した後、変圧器１２０のＤＣロスのためにDC-ワォンダ現象(DC-wander phenomenon)が受信信号ＲＳに発生する可能性があり、結果として、受信信号ＲＳのＤＣ電圧が減衰される。ネットワーク伝送装置１００中、受信信号ＲＳの伝送振幅性能（Performance）もまた第１調整電圧ＲＶ１を調整するための根拠とすることができる。ケーブル長さは、受信信号ＲＳの振幅に基づいて決定される、即ち、より短いケーブル長さにおいて、伝送された信号の振幅が性能を犠牲にすることなく縮小できる。
【００３６】
従って、受信信号ＲＳを受信する時、検知及び制御ユニット１１１は、受信信号ＲＳがネットワーク伝送速度、DC-ワォンダ、伝送振幅およびケーブル長さを搬送していることを検知して、第１制御信号ＣＳ１を発生させ、それが電力調整ユニット１３０の受信電圧Ｖ１を調整して第１調整電圧ＲＶ１を発生するための根拠とされる。
【００３７】
例えば、ネットワーク伝送速度が１０Ｍｂｐｓであると検知する時、検知及び制御ユニット１１１が更にこの状態のDC-ワォンダ値を計算するとともに、伝送振幅とケーブル長さとを検知して、第１制御信号ＣＳ１_１を発生させる。ネットワーク伝送速度が１００Ｍｂｐｓであると検知する時、検知及び制御ユニット１１１がこの状態のDC-ワォンダ値を計算するとともに、伝送振幅とケーブル長さとを検知して、第２制御信号ＣＳ１_２を発生させる。ネットワーク伝送速度が１０００Ｍｂｐｓであると検知する時、検知及び制御ユニット１１１がこの状態のDC-ワォンダ値を計算するとともに、伝送振幅とケーブル長さとを検知して、第３制御信号ＣＳ１_３を発生させる。この実施形態では、ネットワーク伝送速度が１０Ｍｂｐｓである時、受信信号ＲＳは、DC-ワォンダ現象が全くなく、DC-ワォンダ値がゼロとなる。
【００３８】
また、検知及び制御ユニット１１１が信号ノイズ比（signal-to-noise rate = SNR）処理された受信信号ＲＳを検知して、第２制御信号ＣＳ２を発生させる。例えば、受信信号ＲＳのＳＮＲが高いことを検知する時、検知及び制御ユニット１１１が第２制御信号ＣＳ２_１を発生させ、それが電圧調整ユニット１３０の受信電圧Ｖ１を減少させて第２調整電圧ＲＶ２_１を発生させる根拠となる。受信信号ＲＳのＳＮＲが低いことを検知する時、検知及び制御ユニット１１１が第２制御信号ＣＳ２_２を発生させ、それが電圧調整ユニット１３０の受信電圧Ｖ１を増大させて第２調整電圧ＲＶ２_２を発生させる根拠となる。この実施形態では、第２調整電圧ＲＶ２_１およびＲＶ２_２は、アナログ（analog）電圧とすることができる。
【００３９】
また、検知及び制御ユニット１１１がチップ１１０の状態、即ちチップ１１０の内部遅延の大小に基づいて第３制御信号ＣＳ３を発生させる。例えば、チップ１１０の内部遅延が大きいことを検知する時、検知及び制御ユニット１１１が第３制御信号ＣＳ３_１を発生させ、それが電圧調整ユニット１３０の受信電圧Ｖ１を増大させて第３調整電圧ＲＶ３_１を発生させる根拠となる。チップ１１０の内部遅延が小さいことを検知する時、検知及び制御ユニット１１１が第３制御信号ＣＳ３_２を発生させ、それが電圧調整ユニット１３０の受信電圧Ｖ１を減少させて第３調整電圧ＲＶ３_２を発生させる根拠となる。この実施形態では、第３調整電圧ＲＶ３_１およびＲＶ３_２をデジタル（Digital）電圧とすることができる。
【００４０】
この実施形態では、チップ１１０の内部遅延は、検知及び制御ユニット１１中の配置カウンター（Configuring Counter）ＡおよびＢにより検知される。カウンターＡは、例えば、固定されたクロック（Fixed Clock）を有するカウンターであり、カウンターＢのクロックは、例えば、リング発振器（Ring Oscillator）により提供されるとともに、大小を変えることができる。従って、いったん、チップ１１０が操作され始めると、カウンターＡおよびカウンターＢが両方ともカウントをスタートするとともに、カウンターＡおよびカウンターＢは周期ごとに１回統計値により計算される。もしもカウンターＡの値がカウンターＢのそれよりも大きければ、チップ１１０の内部遅延が大きいことを示す。もしもカウンターＡの値がカウンターＢのそれよりも小さければ、チップ１１０の内部遅延が小さいことを示す。
【００４１】
図１において、変圧器１２０が一次側および二次側を有し、かつ変圧器１２０の一次側が検知及び制御ユニット１１１に連結されている。検知及び制御ユニット１１１に連結された電力調整ユニット１３０および変圧器１２０が電圧（例えば、３．３Ｖの操作電圧）Ｖ１を受信し、第１制御信号ＣＳ１、第２制御信号ＣＳ２および第３制御信号ＣＳ３に従って、第１調整電圧ＲＶ１、第２調整電圧ＲＶ２ならびに第３調整電圧ＲＶ３を発生させるために使用されるとともに、第１調整電圧ＲＶ１、第２調整電圧ＲＶ２および第３調整電圧ＲＶ３をそれぞれ変圧器１２０の一次側のセンタータップ（Center Tap）、アナログ回路１１２ならびにデジタル回路１１３へ伝送する。
【００４２】
例えば、その時に１０Ｍｂｐｓ、１００Ｍｂｐｓまたは１０００Ｍｂｐｓの伝送速度で発生された第１制御信号ＣＳ１に従って、電力調整ユニット１３０が変圧器１２０の一次側のセンタータップへ接続するために第１調整電圧ＲＶ１を発生させる。このようにして、変圧器１２０の一次側のセンタータップの電圧が最小レベルを保持し、同時にネットワーク伝送装置の正常な操作が維持されるので、ネットワーク伝送装置の電力消費を効果的に低減する。
【００４３】
以下、一例を挙げて、異なるネットワーク伝送速度（１０Ｍｂｐｓ、１００Ｍｂｐｓおよび１０００Ｍｂｐｓ）におけるネットワーク伝送速度、伝送電圧、ケーブル長さ及びDC-ワォンダに従って、変圧器１２０の一次側のセンタータップの最小電圧Ｖｃｔをどのように選択するかを説明する。
【００４４】
ネットワーク伝送速度が１０Ｍｂｐｓである時、最小電圧Ｖｃｔは、「Ｖｃｔ−伝送電圧／２≧チップの内部最小操作電圧」として計算される。仮に伝送電圧が２．５Ｖであり、かつ変圧器１２０の内部最小操作電圧が０．６Ｖとすれば、「Ｖｃｔ−２．５／２≧０．６」すなわち「Ｖｃｔ≧１．８５Ｖ」となる。
【００４５】
ネットワーク伝送速度が１００Ｍｂｐｓである時、最小電圧Ｖｃｔは、「Ｖｃｔ−伝送電圧／２−DC-ワォンダ／２≧チップの内部最小操作電圧」として計算される。仮に伝送電圧が１Ｖであり、かつ変圧器１２０の内部最小操作電圧が０．６Ｖとすれば、「Ｖｃｔ−１／２−DC-ワォンダ／２≧０．６」すなわち「Ｖｃｔ≧１．１＋DC-ワォンダ／２」となる。ここで、DC-ワォンダ＜０．８と仮定すれば、Ｖｃｔ＝１．１〜１．５Ｖとなる。
【００４６】
ネットワーク伝送速度が１０００Ｍｂｐｓである時、最小電圧Ｖｃｔは、「Ｖｃｔ−伝送電圧／２−受信電圧／２−DC-ワォンダ／２≧チップの内部最小操作電圧」として計算される。仮に変圧器１２０の内部最小操作電圧が０．６Ｖであり、より短いケーブル長さにおいて伝送電圧が０．８Ｖに低減でき、かつ受信電圧が１Ｖであるとする。より長いケーブル長さにおいて伝送電圧が１Ｖであり、かつ受信電圧が０．８Ｖである。ここで、DC-ワォンダ値＜０．６と仮定し、上記方程式にあてはめれば、Ｖｃｔ＝１．５〜１．８Ｖを得る。
【００４７】
また、第２制御信号ＣＳ２_１（受信信号ＲＳのＳＮＲが高い）を受信した後、電力調整ユニット１３０が第２調整電圧ＲＶ２_１（即ち、アナログ回路１１２の電圧を低減する）を発生させるとともに、第２調整電圧ＲＶ２_１をチップ１１０のアナログ回路１１２へ伝送する。第２制御信号ＣＳ２_２（受信信号ＲＳのＳＮＲが低い）を受信した後、電力調整ユニット１３０が第２調整電圧ＲＶ２_２（即ち、アナログ回路１１２の電圧を増大する）を発生させるとともに、第２調整電圧ＲＶ２_２をチップ１１０のアナログ回路１１２へ伝送する。この方式で、ネットワーク伝送装置の電力消費を効果的に低減することができる。
【００４８】
また、第３制御信号ＣＳ３_１（チップ１１０の内部遅延が小さい）を受信した後、電力調整ユニット１３０が第３調整電圧ＲＶ３_１（即ち、デジタル回路１１３の電圧を低減する）を発生させるとともに、第３調整電圧ＲＶ３_１をチップ１１０中のデジタル回路１１３へ伝送する。第３制御信号ＣＳ３_２（チップ１１０の内部遅延が大きい）を受信した後、電力調整ユニット１３０が第３調整電圧ＲＶ３_２（即ち、デジタル回路１１３の電圧を増大する）を発生させるとともに、第３調整電圧ＲＶ３_２をチップ１１０中のデジタル回路１１３へ伝送する。
【００４９】
図１において、ネットワーク伝送装置１００が更に抵抗器Ｒ１および抵抗器Ｒ２を含む。抵抗器Ｒ１の第１端が変圧器１２０の一次側の第１端に連結される。抵抗器Ｒ２の第１端が抵抗器Ｒ１の第２端に連結されるとともに、抵抗器Ｒ２の第２端が変圧器１２０の一次側の第２端に連結される。この実施形態では、抵抗器Ｒ１およびＲ２の抵抗値は、例えば、限定しないが、５０オーム（Ω）である。
【００５０】
注意すべきことは、上記した実施形態では、検知及び制御ユニット１１１は、第１制御信号ＣＳ１、第２制御信号ＣＳ２ならびに第３制御信号ＣＳ３を同時に発生させ、第１調整電圧ＲＶ１、第２調整電圧ＲＶ２または第３調整電圧ＲＶ３がそれぞれ発生されるので、ネットワーク伝送装置１００が電力節約効力（power saving efficacy）を達成できることである。しかし、この発明は、第１制御信号ＣＳ１、第２制御信号ＣＳ２ならびに第３制御信号ＣＳ３を同時に発生させることに限定されるものではない。そのかわり、検知及び制御ユニット１１１は、更に、受信信号ＲＳ中のネットワーク伝送速度、DC-ワォンダ、伝送振幅およびケーブル長さに従って１つの制御信号を発生させて、調整電圧を発生し、変圧器１２０の一次側のセンタータップへ伝送して、ネットワーク伝送装置の電力消費を節約することができる。あるいは、検知及び制御ユニット１１１は、更に、受信信号ＲＳのＳＮＲに従って１つの制御信号を発生させて、調整電圧を発生し、チップ１１０のアナログ回路１１２へ伝送して、ネットワーク伝送装置の電力消費を節約することができる。もしくは、チップ１１０の内部遅延に従って１つの制御信号を発生させて、調整電圧を発生し、チップ１１０中のデジタル回路１１３へ伝送して、ネットワーク伝送装置の電力消費を節約することができる。
【００５１】
上記した実施形態の説明によって、ネットワーク伝送装置の節電方法が決定づけられる。図２は、この発明の一実施形態にかかるネットワーク伝送装置の節電方法を示す流れ図である。この実施形態では、ネットワーク伝送装置は、検知及び制御ユニットと、チップと、変圧器とを含み、そのうち、チップがアナログ回路とデジタル回路とを有する。図２において、ステップＳ２０１中、受信信号が受信される。例えば、受信信号が検知及び制御ユニットにより受信される。ステップＳ２０２中、第１制御信号が受信信号またはチップの状態を検知することによって発生される。この実施形態では、検知及び制御ユニットは、ネットワーク伝送速度、DC-ワォンダ、伝送振幅およびケーブル長さの情報を搬送する受信信号を検知し、それにより第１制御信号を発生させる。もしくは、この実施形態では、検知及び制御ユニットがＳＮＲ処理された受信信号を検知し、それによって第１制御信号を発生させる。あるいは、検知及び制御ユニットがチップの内部遅延の大小を検知し、それにより第１制御信号を発生させる。
【００５２】
ステップＳ２０３中、第１調整電圧が第１制御信号に従って対応するように発生される。ステップＳ２０４中、第１調整電圧が変圧器の一次側のセンタータップ、アナログ回路およびデジタル回路へ伝送される。この実施形態では、もし第１調整電圧が受信信号により搬送されるネットワーク伝送速度、DC-ワォンダ、伝送振幅およびケーブル長さの情報に従って発生されるならば、第１調整電圧が変圧器の一次側のセンタータップへ伝送される。もしも第１調整電圧が受信信号により搬送されるＳＮＲに従って発生されるなら、第１調整電圧がアナログ回路へ伝送される。あるいは、もし第１調整電圧がチップの内部遅延の大小に従って発生されるなら、第１調整電圧がデジタル回路へ伝送される。かくして、変圧器の一次側のセンタータップ、アナログ回路またはデジタル回路へ伝送される電圧をダイナミックに調整することを通じ、ネットワーク伝送装置の電力消費を低減することができる。
【００５３】
図３は、この発明の別な実施形態に係るネットワーク伝送装置の節電方法を示す流れ図である。図３において、先ず、ステップＳ３０１中、受信信号が受信される。例えば、受信信号が検知及び制御ユニットにより受信される。ステップＳ３０２中、受信信号またはチップの状態が検知されて、第１制御信号および第２制御信号が発生される。この実施形態では、第１制御信号は、検知及び制御ユニットが受信信号の搬送するネットワーク伝送速度、DC-ワォンダ、伝送振幅およびケーブル長さの情報を検知する時、発生されるとともに、第２制御信号は、検知及び制御ユニットがＳＮＲ処理された受信信号を検知する時、発生される。もしくは、第１制御信号は、検知及び制御ユニットがチップの内部遅延の大小を検知する時、発生されるとともに、第２制御信号は、検知及び制御ユニットが受信信号の搬送するネットワーク伝送速度、DC-ワォンダ、伝送振幅およびケーブル長さの情報を検知する時、発生される。あるいは、第１制御信号は、検知及び制御ユニットがチップの内部遅延の大小を検知する時、発生されるとともに、第２制御信号は、検知及び制御ユニットがＳＮＲ処理された受信信号を検知する時、発生される。
【００５４】
ステップＳ３０３中、第１調整電圧および第２調整電圧が第１制御信号および第２制御信号に従って対応するように発生される。ステップＳ３０４中、第１調整電圧および第２調整電圧がそれぞれ変圧器の一次側のセンタータップ、アナログ回路およびデジタル回路から選ばれた２つのユニットへ伝送される。従って、変圧器の一次側のセンタータップ、アナログ回路およびデジタル回路から選ばれた２つのユニットへ伝送される電圧を同時に調整することを通じ、ネットワーク伝送装置の電力消費を有効に低減する。
【００５５】
図４は、この発明の更に別な実施形態に係るネットワーク伝送装置の節電方法を示す流れ図である。図４において、先ず、ステップ４０１中、受信信号が受信される。例えば、例えば、受信信号が検知及び制御ユニットにより受信される。ステップＳ４０２中、受信信号またはチップの状態が検知されて、第１制御信号、第２制御信号および第３制御信号が発生される。この実施形態では、第１制御信号は、検知及び制御ユニットが受信信号の搬送するネットワーク伝送速度、DC-ワォンダ、伝送振幅およびケーブル長さの情報を検知する時、発生される；第２制御信号は、検知及び制御ユニットがＳＮＲ処理された受信信号を検知する時、発生される；そして、第３制御信号は、検知及び制御ユニットがチップの内部遅延の大小を検知する時、発生される。
【００５６】
ステップＳ４０３中、第１調整電圧、第２調整電圧および第３調整電圧が第１制御信号、第２制御信号および第３制御信号に従って対応するように発生される。ステップＳ４０４中、第１調整電圧、第２調整電圧および第３調整電圧がそれぞれ変圧器の一次側のセンタータップ、アナログ回路およびデジタル回路へ伝送される。従って、変圧器の一次側のセンタータップ、アナログ回路およびデジタル回路へ伝送される電圧を同時に調整することを通じ、ネットワーク伝送装置の電力消費を有効に低減する。
【００５７】
以上のごとく、この発明を実施形態により開示したが、もとより、この発明を限定するためのものではなく、当業者であれば容易に理解できるように、この発明の技術思想の範囲内において、適当な変更ならびに修正が当然なされうるものであるから、その特許権保護の範囲は、特許請求の範囲および、それと均等な領域を基準として定めなければならない。
【符号の説明】
【００５８】
１００  ネットワーク伝送装置
１１０  チップ
１１１  検知及び制御ユニット
１１２  アナログ回路
１１３  デジタル回路
１２０  変圧器
１３０  電力調整ユニット
Ｒ１，Ｒ２  抵抗器
ＲＳ  受信信号
ＣＳ１  第１制御信号
ＣＳ２  第２制御信号
ＣＳ３  第３制御信号
ＲＶ１  第１調整電圧
ＲＶ２  第２調整電圧
ＲＶ３  第３調整電圧
Ｖ１  電圧
Ｓ２０１〜Ｓ２０４  ある実施形態に係るネットワーク伝送装置の節電方法を示す各ステップ
Ｓ３０１〜Ｓ３０４  別な実施形態に係るネットワーク伝送装置の節電方法を示す各ステップ
Ｓ４０１〜Ｓ４０４  他の実施形態に係るネットワーク伝送装置の節電方法を示す各ステップ
【図１】
2010119082.tif 000003
【図２】
2010119082.tif 000004
【図３】
2010119082.tif 000005
【図４】
2010119082.tif 000006
【外国語明細書】
2010119082000001.pdf